(57)【特許請求の範囲】
【請求項１】
赤外線を中継するよう配置された操作部と、操作部により中継された赤外線を検出して検出信号を出力するよう取り付けられた赤外線検出素子と、赤外線検出素子からの検出信号と予め設定された閾値とを比較して検出信号が閾値よりも大きい場合に比較信号を出力する比較器と、比較器からの比較信号に基づいて負荷を開閉制御する負荷制御部と、を備え、前記操作部は、金属膜及びその金属膜の裏側に配置される赤外線透過シートよりなることを特徴とするスイッチ。
【請求項２】
前記赤外線透過シートは、前記赤外線検出素子に赤外線を集光させるレンズを兼ねた請求項１記載のスイッチ。
【請求項３】
前記赤外線検出素子を前記操作部に対して斜めに取り付けた請求項１記載のスイッチ。
【請求項４】
環境温度に応じて前記閾値を調整することにより、温度補償するようにした請求項１乃至請求項３のいずれかに記載のスイッチ。
【請求項５】
前記閾値を複数個有し、それらの複数個の前記閾値を環境温度に応じて切替えるようにした請求項４記載のスイッチ。
【請求項６】
前記閾値を複数個有し、それらの複数個の前記閾値を切替操作可能とした請求項１乃至請求項３のいずれかに記載のスイッチ。
【請求項７】
赤外線を中継するよう配置された操作部と、操作部により中継された赤外線を検出して検出信号を出力するよう取り付けられた赤外線検出素子と、赤外線検出素子からの検出信号と予め設定された閾値とを比較して検出信号が閾値よりも大きい場合に比較信号を出力する比較器と、比較器からの比較信号に基づいて負荷を開閉制御する負荷制御部と、を備え、前記赤外線検出素子は、正負が異なる電極を有したものであって、正負の電極のいずれか一方を赤外線から遮蔽したことを特徴とするスイッチ。
【請求項８】
赤外線を中継するよう配置された操作部と、操作部により中継された赤外線を検出して検出信号を出力するよう取り付けられた赤外線検出素子と、赤外線検出素子からの検出信号と予め設定された閾値とを比較して検出信号が閾値よりも大きい場合に比較信号を出力する比較器と、比較器からの比較信号に基づいて負荷を開閉制御する負荷制御部と、を備え、前記操作部を前記赤外線検出素子に重合させる場合と重合させない場合とに切替可能に支持したことを特徴とするスイッチ。
【請求項９】
前記操作部を前記赤外線検出素子と重合させた場合に前記閾値を上げるよう切替可能とするとともに、前記操作部が前記赤外線検出素子と重合させない場合に前記閾値を下げるよう切替可能とした請求項８記載のスイッチ。
【請求項１０】
前記操作部と前記赤外線検出素子との重合状態を自己検知して前記閾値を切り替えるようにした請求項９記載のスイッチ。
【発明の詳細な説明】
【０００１】
【発明の属する技術分野】
本発明は、埋込型の配線器具として使用されるスイッチに関する。
【０００２】
【従来の技術】
従来、この種のスイッチとして、スイッチ操作する手指を検知するために、手指の接近による静電容量を利用したものとがある。
【０００３】
このスイッチＳは、対をなした電極板よりなるコンデンサを有し、人の手指が接近又は接触したときに、そのコンデンサの静電容量が変化することに基づいて、操作者が手指でスイッチＳを操作しようとしていることを検知し、開閉制御するようにしている。
【０００４】
【発明が解決しようとする課題】
上記した従来のスイッチにあっては、強く押圧操作することなく、ＯＮ／ＯＦＦ動作することができる。
【０００５】
しかしながら、このスイッチＳを、図１８に示すように、複数個隣接配置する、いわゆる連設スイッチとして使用した場合、開閉制御しようとしている一方のスイッチＳに手指を近づけると、必然的に、開閉制御しようとしていない他方のスイッチＳにも手指を近づけることになるので、一方のスイッチＳのみならず、その一方のスイッチＳに隣接配置された他方のスイッチＳをも、開閉制御させて、誤動作させてしまう恐れがある。
【０００６】
本発明は、上記の点に着目してなされたもので、その目的とするところは、誤動作し難いスイッチを提供することにある。
【０００７】
【課題を解決するための手段】
上記した課題を解決するために、請求項１記載のスイッチは、赤外線を中継するよう配置された操作部と、操作部により中継された赤外線を検出して検出信号を出力するよう取り付けられた赤外線検出素子と、赤外線検出素子からの検出信号と予め設定された閾値とを比較して検出信号が閾値よりも大きい場合に比較信号を出力する比較器と、比較器からの比較信号に基づいて負荷を開閉制御する負荷制御部と、を備え、前記操作部は、金属膜及びその金属膜の裏側に配置される赤外線透過シートよりなる構成にしている。
【０００８】
請求項２記載のスイッチは、請求項２記載のスイッチにおいて、前記赤外線透過シートは、前記赤外線検出素子に赤外線を集光させるレンズを兼ねた構成にしている。
【０００９】
請求項３記載のスイッチは、請求項１記載のスイッチにおいて、前記赤外線検出素子を前記操作部に対して斜めに取り付けた構成にしている。
【００１０】
請求項４記載のスイッチは、請求項１乃至請求項３のいずれかに記載のスイッチにおいて、環境温度に応じて前記閾値を調整することにより、温度補償する構成にしている。
【００１１】
請求項５記載のスイッチは、請求項４記載のスイッチにおいて、前記閾値を複数個有し、それらの複数個の前記閾値を環境温度に応じて切替える構成にしている。
【００１２】
請求項６記載のスイッチは、請求項１乃至請求項３のいずれかに記載のスイッチにおいて、前記閾値を複数個有し、それらの複数個の前記閾値を切替操作可能とした構成にしている。
【００１３】
請求項７記載のスイッチは、赤外線を中継するよう配置された操作部と、操作部により中継された赤外線を検出して検出信号を出力するよう取り付けられた赤外線検出素子と、赤外線検出素子からの検出信号と予め設定された閾値とを比較して検出信号が閾値よりも大きい場合に比較信号を出力する比較器と、比較器からの比較信号に基づいて負荷を開閉制御する負荷制御部と、を備え、前記赤外線検出素子は、正負が異なる電極を有したものであって、正負の電極のいずれか一方を赤外線から遮蔽した構成にしている。
【００１４】
請求項８記載のスイッチは、赤外線を中継するよう配置された操作部と、操作部により中継された赤外線を検出して検出信号を出力するよう取り付けられた赤外線検出素子と、赤外線検出素子からの検出信号と予め設定された閾値とを比較して検出信号が閾値よりも大きい場合に比較信号を出力する比較器と、比較器からの比較信号に基づいて負荷を開閉制御する負荷制御部と、を備え、前記操作部を前記赤外線検出素子に重合させる場合と重合させない場合とに切替可能に支持した構成にしている。
【００１５】
請求項９記載のスイッチは、請求項８記載のスイッチにおいて、前記操作部を前記赤外線検出素子と重合させた場合に前記閾値を上げるよう切替可能とするとともに、前記操作部が前記赤外線検出素子と重合させない場合に前記閾値を下げるよう切替可能とした構成にしている。
【００１６】
請求項１０記載のスイッチは、請求項９記載のスイッチにおいて、前記操作部と前記赤外線検出素子との重合状態を自己検知して前記閾値を切り替える構成にしている。
【００１８】
【発明の実施の形態】
本発明の第１実施形態を図１乃至図７に基づいて以下に説明する。このスイッチは、図２に示すように、プレートＸ１、プレート枠Ｘ２、中枠Ｘ３及び取付枠Ｘ４に取り付けられた状態で、例えば、住宅内の廊下等の壁面に設置されて使用されるものである。
【００１９】
１は操作部で、手指Ｍに直接接触される箇所であり、金属薄膜シート１ａ及びその金属薄膜シート１ａの裏側に配置され得る赤外線透過シート１ｂよりなる。この金属薄膜シート１ａは、アルミニウム製であって、手指Ｍの温度が伝わり易いものとなっている。なお、金属薄膜シート１ａの代わりに、金属メッキ膜や金属蒸着膜でもよい。赤外線透過シート１ｂは、ポリエチレン製であり、手指Ｍから金属薄膜シートに１ａ伝わった熱に基づいて金属薄膜シート１ａから放射する赤外線を、後述する焦電素子２ｂに中継するよう透過させる。なお、赤外線が透過する材質であれば、ポリエチレンに限るものではない。
【００２０】
２は熱線検出部で、操作部１の金属薄膜シート１ａが放射する赤外線を検出するものであって、レンズ２ａ、焦電素子２ｂ、増幅回路２ｃ、フィルタ回路２ｄ、比較回路２ｅ、出力回路２ｆを備えている。
【００２１】
レンズ２ａは、ポリエチレン製であり、赤外線透過シート１ｂを透過してきた赤外線を集光するものであって、焦電素子２ｂを外囲するようにして設けられている。このレンズ２ａは、手指Ｍに接触される操作部１の大きさに合わせて、集光特性が決定される。
【００２２】
焦電素子２ｂは、このスイッチ内に配設された基板３の表側の一方面に設けられ、操作部１との間の距離が、レンズ２ａの集光特性等により最適なものとなるようにしている。この焦電素子２ｂは、操作部１から放射された赤外線を、レンズ２ａを介して検出して、検出信号を出力する。この焦電素子２ｂは、図６及び図７に示すように、正負の異なる電極ｅを交互に配置しており、そのうちの負電極ｅが遮蔽されるように、シート状の遮蔽マスクｍが表面に設けられている。なお、遮蔽マスクｍは、シート状に限るものではなく、キャップ状でもよい。
【００２３】
増幅回路２ｃは、基板３の両面に設けられた回路ブロック３ａの一部として構成され、焦電素子２ｂの出力した検出信号（電圧信号）を増幅する。フィルタ回路２ｄは、増幅回路２ｃと同様に、基板３の両面に設けられた回路ブロック３ａの一部として構成され、増幅回路２ｃにより増幅された検出信号のうち所定周波数帯域の検出信号を出力する。比較回路２ｅは、フィルタ回路２ｄから出力された検出信号と予め設定された閾値である基準電圧とを比較して、検出信号が閾値よりも大きい場合に、比較信号を出力する。出力回路２ｆは、比較回路２ｅから出力された比較信号が入力されて、手指Ｍの検知結果を出力する。
【００２４】
４は検知判断回路で、出力回路２ｆから出力された検知結果に基づいて、人体の手指Ｍが操作部１に接触したことを判断し、後述する負荷制御回路５に負荷機器Ｌを開閉制御させる出力信号を出力する。
【００２５】
５は負荷制御回路（負荷制御部）で、検知判断回路４からの出力信号により、電灯等の負荷機器Ｌを開閉制御する。なお、この負荷制御回路５は、前述した比較回路２ｅ及び出力回路２ｆと一体化した構成としてもよい。
【００２６】
６は電源部で、商用電源Ｅに接続され、この商用電源ＥからＡＣ１００Ｖが入力可能となっており、このスイッチ内の各部、すなわち、熱線検出部２、検知判断回路４、負荷制御回路５へ給電する。この電源部６は、操作部１、熱線検出部２、検知判断回路４及び負荷制御回路５等と一体化され、スイッチ本体７を構成している。このスイッチ本体７は、前述した取付枠Ｘ４等に取り付けられて、住宅内の廊下等の壁面に設置される。
【００２７】
なお、この電源部６、負荷制御回路５及び検知判断回路４を一体化して電源ブロックを構成するととともに、操作部１及び熱線検出部２を操作ブロックとして、両ブロックを離れて取り付け、電源線、ＧＮＤ線及び熱線検出部信号出力線により接続してもよい。このとき、電源線、ＧＮＤ線及び熱線検出部信号出力線は、必要に応じて互いの線の間がシールドされるようにする。
【００２８】
また、電源ブロックに複数の操作ブロックを接続し、各操作ブロックを部屋毎等、いろいろな場所に取り付けることにより、いろいろな場所で、負荷機器Ｌの開閉制御を行うことができ、利便性に優れたものとなる。
【００２９】
次に、このものの動作を説明する。操作部１の金属薄膜シート１ａは、人体の手指Ｍにより接触されると、それまで周囲の環境温度と同一であったの金属薄膜シート１ａの温度が上昇し、この温度上昇に相当する赤外線が、赤外線透過シート１ｂ及びレンズ２ａを経て、焦電素子２ｂに入射され、焦電素子２ｂから検出信号が出力される。この検出信号は、増幅回路２ｃにより増幅された後に、フィルタ回路２ｄにより、所定周波数帯域の検出信号のみが取り出されて、図８（ａ）に示すように、フィルタ回路２ｄから出力される。
【００３０】
すると、検知判断回路４は、出力回路２ｆからの検知結果の出力により、手指Ｍが操作部１に接触していると判断し、負荷機器Ｌを開閉制御させる出力信号を負荷制御回路５に出力する。負荷制御回路５は、検知判断回路４からの出力信号によって、電灯等の負荷機器Ｌを開閉制御する。
【００３１】
かかるスイッチにあっては、操作部１を操作しようとした手指Ｍによる赤外線を操作部１が中継し、その中継された赤外線を焦電素子２ｂが検出して出力した検出信号と予め設定された閾値とを、比較回路２ｅが比較して、検出信号が閾値よりも大きい場合に出力した比較信号に基づいて負荷機器Ｌが開閉制御されるのであるから、複数個が隣接配置された場合でも、操作部１に接触したもののみが開閉制御されるようになるので、誤動作し難くなる。
【００３２】
また、操作部１は、金属薄膜シート１ａ及びその金属薄膜シート１ａの裏側に配置される赤外線透過シート１ｂよりなるのであるから、薄型としたままで、補強することができる。
【００３３】
また、焦電素子２ｂの有する正負の電極ｅのいずれか一方を赤外線から遮蔽しているから、正負の電極ｅ間で信号出力の相殺が起きた場合である図８（ｂ）とは異なって、図８（ａ）に示すように、大きな信号出力を得ることができる。
【００３４】
なお、本実施形態では、レンズ２ａを使用して赤外線を集光しているが、レンズ２ａを使用しなくてもよい。ただし、この場合は、レンズ２ａを使用する場合に比較して、操作部１全面から赤外線が入射されるよう操作部１と焦電素子２ｂとの間を長くする必要があるため、図９に示すように、焦電素子２ｂを操作部１に対して斜めに取り付けるようにする。これにより、図１０に示すように、スイッチそのものを大型化して、操作部１と焦電素子２ｂとの間を長くしなくてもよくなる。
【００３５】
また、本実施形態では、レンズ２ａを操作部１とは別に設けているが、図１１に示すように、赤外線透過シート１ｂをフレネルレンズ状とすることにより、赤外線透過シート１ｂにレンズを兼ねさせることにより、レンズを省略することができる。
【００３６】
また、本実施形態では、操作部１は、金属薄膜シート１ａ及びその金属薄膜シート１ａの裏側に配置される赤外線透過シート１ｂよりなるが、例えば、ブリキ製の薄膜よりなるものでもよい。
【００３７】
次に、本発明の第２実施形態のスイッチを図１２乃至図１４に基づいて以下に説明する。なお、第１実施形態と同一の部材には同一の符号を付し、第１実施形態と異なるところのみ記す。本実施形態は、基本的には第１実施形態と同様であるが、温度補償手段８を設けて、環境温度に応じて、閾値を切替可能としている。
【００３８】
温度補償手段８は、操作部２の周囲の環境温度を測定して環境温度に応じた出力信号を出力するする温度センサ８ａ、手指Ｍに接触されていない定常時における定常時温度を温度センサ８ａの出力した出力信号に基づいて判断する温度判断処理部８ｂ、温度判断処理部８ｂにより判断された定常時温度と予め設定された所定温度Ｔとを比較して閾値を切り替える閾値切替部８ｃを備えている。
【００３９】
次に、図１４（ａ）乃至（ｃ）に基づいて、閾値切替部８ｃによる動作を説明する。定常時温度と所定温度とを比較して、同図（ａ）に示すように、定常時温度が所定温度Ｔよりも低いときに、同図（ｂ）に示すように、高閾値Ｖｔｈ１として第１の基準電圧を採用し、同図（ｃ）に示すように、検知感度を低くする。この検知感度が低い状態から、図１３（ａ）に示すように、定常時温度が所定温度Ｔよりも高くなって人体温度に近くなったとき、同図（ｂ）に示すように、低閾値Ｖｔｈ２として第２の基準電圧を採用し、同図（ｃ）に示すように、検知感度を低くする。
【００４０】
かかるスイッチにあっては、第１実施形態の効果に加えて、環境温度に応じて閾値を調整することにより、温度補償するようにしているから、例えば、季節や暖房の有無等により、検知誤差が発生し難くなる。
【００４１】
また、２個の閾値を環境温度に応じて切替えるようにしているから、検知誤差が発生し難くなるという効果を確実に奏することができる。
【００４２】
なお、本実施形態では、２つの閾値のいずれかを採用して閾値を切り替えるようにしているが、閾値の候補を３つ以上とし、その３つ以上の閾値のいずれかを採用して閾値を切り替えるようにしてもよく、そのときは、検知誤差が発生し難くなるという効果をさらに奏することができる。
【００４３】
次に、本発明の第３実施形態のスイッチを図１５乃至図１７に基づいて以下に説明する。なお、第２実施形態と同一の部材には同一の符号を付し、第２実施形態と異なるところのみ記す。第２実施形態では、温度補償手段８を設けて、環境温度に応じて、閾値を切替可能としているのに対し、本実施形態では、手動により閾値を切替可能とした構成としている。
【００４４】
また、このものの操作部１は、焦電素子２ｂと重合している状態とスイッチ本体７の内部に収納されて重合しなくなる状態とが切り替わるよう、スイッチ本体７内でスライド自在に支持されており、金属薄膜シート１ａがポリエチレン製の赤外線透過シート１ｂに金属蒸着膜として形成されている。
【００４５】
レンズ２ａは、フレネルレンズであって、前方補助ガイド９及び後方補助ガイド１０とともに、操作部１のスライドのガイドとして機能する。なお、このレンズ２ａは、後方補助ガイド１０と連設されてもよい。また、このレンズ２ａは、操作部１がスライドされて、焦電素子２ｂと重合しない状態となるときに、化粧カバーとなる。
【００４６】
１１は手動操作片で、操作部１に連設され、操作部１をスライドさせるよう手動操作される。１２は閾値切替スイッチで、操作部１がスライドされてスイッチ本体７内に収納されたときに、その操作部１により押圧されて、閾値を切り替える。
【００４７】
次に、図１７（ａ）乃至（ｃ）に基づいて、操作部１のスライドにともなう閾値の切替について説明する。操作部１をスライドさせずに、焦電素子２ｂと重合させた状態では、操作部１により閾値切替スイッチ１２が押圧されていないので、同図（ａ）に示すように、閾値切替スイッチ１２がＯＦＦとなっており、操作部１と焦電素子２ｂとが重合していることを自己検知して、同図（ｂ）に示すように、高閾値Ｖｔｈ１が採用され、同図（ｃ）に示すように、検知感度がより低くなっている。その後、操作部１をスライドさせて、操作部１をスイッチ本体７内に収納した状態では、操作部１により閾値切替スイッチ１２が押圧されて、同図（ａ）に示すように、閾値切替スイッチ１２がＯＮとされ、操作部１と焦電素子２ｂとが重合していないことを自己検知して、同図（ｂ）に示すように、低閾値Ｖｔｈ２が採用され、同図（ｃ）に示すように、検知感度がより高くなる。
【００４８】
かかるスイッチにあっては、第１実施形態の効果に加えて、操作部１を焦電素子２ｂに重合させる場合に、焦電素子２ｂが操作部１に中継された赤外線を間接的に検出することになるから、焦電素子２ｂが赤外線の検出感度が低くなって人体の検知感度が低くなり、操作部１を焦電素子２ｂに重合させる場合に、焦電素子２ｂが赤外線を直接検出するから、赤外線の検出感度が高くなって人体の検知感度が高くなる。よって、人体の検知感度が低い場合に、手指による操作用とすることができるとともに、人体の検知感度が高い場合に、人体検知用とすることができる。
【００４９】
また、操作部１を焦電素子２ｂと重合させて人体の検知感度が低くなっている場合に、それに合わせて閾値を上げるよう切替可能とするとともに、操作部１を焦電素子２ｂと重合させずに人体の検知感度が高くなっている場合に、それに合わせて閾値を下げるよう切替可能としているから、手指による操作用とした場合及び人体検知用とした場合のいずれでも、それぞれの用途に適したものとすることができる。
【００５０】
また、操作部１と焦電素子２ｂとの重合状態を自己検知して閾値を切り替えるようにしているから、閾値を切り替える操作を別にしなくてもよくなる。
【００５１】
また、金属薄膜シート１ａをポリエチレン製の赤外線透過シート１ｂに金属蒸着膜として形成しているために、赤外線透過シート１ｂとレンズ２ａ及び後方補助ガイド１０との滑りが良くなり、操作部１をスライドし易いものとなっている。
【００５２】
なお、本実施形態では、操作部１のスライドにより、検知感度の調整と閾値の切替とを連動させているが、検知感度の調整と閾値の切替と別々にしてもよく、そのときは、操作部１のスライド状態に合わせて、検知感度の調整と閾値の切替とを３段階以上で行うことができる。
【００５３】
【発明の効果】
請求項１記載のスイッチは、操作部を操作しようとした手指による赤外線を操作部が中継し、その中継された赤外線を赤外線検出素子が検出して出力した検出信号と予め設定された閾値とを、比較器が比較して、検出信号が閾値よりも大きい場合に出力した比較信号に基づいて負荷が開閉制御されるのであるから、複数個が隣接配置された場合でも、操作部に接触したもののみが開閉制御されるようになるので、誤動作し難くなる。
【００５４】
請求項２記載のスイッチは、請求項１記載のスイッチの効果に加えて、操作部は、金属膜及びその金属膜の裏側に配置される赤外線透過シートよりなるのであるから、薄型としたままで、補強することができる。
【００５５】
請求項３記載のスイッチは、請求項２記載のスイッチの効果に加えて、赤外線透過シートは、赤外線検出素子に赤外線を集光させるレンズを兼ねているから、赤外線を集光させるレンズを別に設けなくてもよくなる。
【００５６】
請求項４記載のスイッチは、請求項１又は請求項２のいずれかに記載のスイッチの効果に加えて、操作部に対して斜めに取り付けられた操作部は、赤外線検出素子との間の距離を長くすることができるので、赤外線検出素子に赤外線を集光させるレンズを設けない場合でも、赤外線検出素子と操作部との間の距離を長くするよう、大型化しなくてもよくなる。
【００５７】
請求項５記載のスイッチは、請求項１乃至請求項４のいずれかに記載のスイッチの効果に加えて、赤外線検出素子の有する正負の電極のいずれか一方を赤外線から遮蔽しているから、正負の電極間で信号出力の相殺が起きず、大きな信号出力を得ることができる。
【００５８】
請求項６記載のスイッチは、請求項１乃至請求項５のいずれかに記載のスイッチの効果に加えて、環境温度に応じて前記閾値を調整することにより、温度補償するようにしているから、例えば、季節や暖房の有無等により、検知誤差が発生し難くなる。
【００５９】
請求項７記載のスイッチは、複数個の閾値を環境温度に応じて切替えるようにしているから、検知誤差が発生し難くなるという請求項６記載のスイッチの効果を確実に奏することができる。
【００６０】
請求項８記載のスイッチは、請求項１乃至請求項５のいずれかに記載のスイッチの効果に加えて、複数個の閾値を切替操作可能としているから、閾値を上げることにより感度を低くして、手指による操作用とすることもできるし、閾値を下げることにより感度を上げて、人体検知用とすることもできる。
【００６１】
請求項９記載のスイッチは、請求項１乃至請求項５のいずれかに記載のスイッチの効果に加えて、操作部を赤外線検出素子に重合させる場合に、赤外線検出素子が操作部に中継された赤外線を間接的に検出することになるから、赤外線検出素子が赤外線の検出感度が低くなって人体の検知感度が低くなり、操作部を赤外線検出素子に重合させる場合に、赤外線検出素子が赤外線を直接検出するから、赤外線の検出感度が高くなって人体の検知感度が高くなる。よって、人体の検知感度が低い場合に、手指による操作用とすることができるとともに、人体の検知感度が高い場合に、人体検知用とすることができる。
【００６２】
請求項１０記載のスイッチは、操作部を赤外線検出素子と重合させて人体の検知感度が低くなっている場合に、それに合わせて閾値を上げるよう切替可能とするとともに、操作部を赤外線検出素子と重合させずに人体の検知感度が高くなっている場合に、それに合わせて閾値を下げるよう切替可能としているから、手指による操作用とした場合及び人体検知用とした場合のいずれでも、それぞれの用途に適したものとすることができる。
【００６３】
請求項１１記載のスイッチは、操作部と赤外線検出素子との重合状態を自己検知して閾値を切り替えるようにしているから、閾値を切り替える操作を別にしなくてもよくなる。
【図面の簡単な説明】
【図１】本発明の第１実施形態のブロック図である。
【図２】同上のものの取付状態を示す分解斜視図である。
【図３】同上の熱線検出部のブロック図である。
【図４】同上のものの側面断面図である。
【図５】同上のものの操作部を外した状態の正面図である。
【図６】同上の焦電素子の電極に遮蔽マスクを設けた状態を示す正面図である。
【図７】同上の焦電素子の電極に遮蔽マスクを設けた状態を示す斜視図である。
【図８】同上の焦電素子の電極に遮蔽マスクを設けたときと設けないときとでの検出信号の出力値の差異を示す検出信号出力図である。
【図９】レンズを設けないときに焦電素子を操作部に対して斜めに取り付けた状態を示す側面断面図である。
【図１０】レンズを設けないときに焦電素子を操作部に対して直交して取り付けた状態を示す側面断面図である。
【図１１】フレネルレンズ形状の赤外線透過シートの断面図である。
【図１２】本発明の第２実施形態のブロック図である。
【図１３】同上の温度補償部のブロック図である。
【図１４】同上の温度補償部による閾値の切替を示す検出信号出力図である。
【図１５】本発明の第３実施形態の検知感度の切替操作を示す側面断面図である。
【図１６】同上のブロック図である。
【図１７】同上の感度切替部による閾値の切替を示す検出信号出力図である。
【図１８】２連スイッチの正面図である。
【符号の説明】
１    操作部
１ａ  金属膜（金属薄膜シート）
１ｂ  赤外線透過シート
２    焦点素子（赤外線検出素子）
２ｅ  比較回路（比較器）
５    負荷制御回路（負荷制御部）
ｅ    電極
Ｌ    負荷機器
【図１】
0003952689.tif 000002
【図２】
0003952689.tif 000003
【図３】
0003952689.tif 000004
【図４】
0003952689.tif 000005
【図５】
0003952689.tif 000006
【図６】
0003952689.tif 000007
【図７】
0003952689.tif 000008
【図８】
0003952689.tif 000009
【図９】
0003952689.tif 000010
【図１０】
0003952689.tif 000011
【図１１】
0003952689.tif 000012
【図１２】
0003952689.tif 000013
【図１３】
0003952689.tif 000014
【図１４】
0003952689.tif 000015
【図１５】
0003952689.tif 000016
【図１６】
0003952689.tif 000017
【図１７】
0003952689.tif 000018
【図１８】
0003952689.tif 000019